(57)【要約】      （修正有）【課題】駐輪時にスタンドを立てるだけで自動的に施錠出来るようにする。【解決手段】円筒型金物の側面にスタンド固定鋼板Ｃの板厚より少し広く円筒の半分迄溝を切り、スタンド固定鋼板Ｃと噛み合う、すべり対偶としてスプリングで左回転のモーメントを付加した回転カム３を持った、錠１を静位置に付ける。スタンド固定鋼板Ｃの欠ぎ込み２に、駐輪時に錠１が重なれば、スプリングで左回転のモーメントを付加した回転カム３が、自動的に欠ぎ込み２に貫入し、鍵を抜くだけで施錠は完了する。【選択図】図１
0003106942.tif 000002
【実用新案登録請求の範囲】
【請求項１】
自転車の盗難防止用錠１を組み込んだスタンド。
【請求項２】
スタンドの跳ね上げを阻止する、回転式カム錠。
【考案の詳細な説明】
【考案の詳細な説明】
【０００１】    ［考案が解決しようとする課題］  従来、自転車等の盗難防止策は、車輪止めを掛けたりサドルをロックしたりとなかなか面倒であった、この考案はこれ等の手数を、ワンタッチに解消しようとするものである。
【０００２】    ［課題を解決する為の手段］  上記の目的を達成する為には、円筒型金物の側面にスタンド固定鋼板Ｃの板厚より少し広く円筒の半分迄溝を切り、スタンド固定鋼板Ｃと噛み合う、すべり対偶としてスプリングで左回転のモーメントを付加した回転カム３を持った、錠１をスタンド静止位置に付け、駐輪時に自動的に施錠出来るようにすればよい。
【０００３】    ［考案の効果］  このスタンドの静止位置、第２図のスタンド固定鋼板Ｃ下側に欠ぎ込み２とスタンド側に回転式カム錠１を組み込んでおけば、駐輪でスタンドを立てれば自然に錠位置は重なり鍵を抜くだけで施錠は完了する。
【図面の簡単な説明】  ［第１図］スタンドの前方から向かつて右側の立面図。  ［第２図］スタンド固定鋼板の下方、回転カム貫入用の欠ぎ込み図。  ［第３図］回転式カム錠のカム部分、イ方向水平断面図。  ［第４図］回転式カム錠のカム部分θ回転施錠状態図。
【符号の説明】
Ａ  自転車躯体後部        Ｂ  後部車輪車軸ボルト        Ｃ  スタンド固定用鋼板        Ｄ  スタンド丸鋼上部平打ち部        Ｅ  スタンド支持回転軸ボルト        Ｆ  スタンド振れ止め用スリット        Ｇ  スタンド跳ね上げ用スプリング        １  回転式カム錠シリンダー        ２  回転カム貫入用欠ぎ込み        ３  スプリングで左回転のモーメントを付加した回転カム
【図１】
0003106942.tif 000003
【図２】
0003106942.tif 000004
【図３】
0003106942.tif 000005
【図４】
0003106942.tif 000006
【手続補正書】
【提出日】平成16年7月14日(2004.7.14)
【手続補正１】
【補正対象書類名】実用新案登録請求の範囲
【補正対象項目名】全文
【補正方法】変更
【補正の内容】
【実用新案登録請求の範囲】
【請求項１】
スタンド固定用鋼板Ｃとスタンド丸綱上部平打ち部Ｄの間に回転式カム錠シリンダ−１とスプリング５で回転のモ−メントを付加した回転カム３からなる盗難防止用錠を設けたことを特徴とする自転車の盗難防止用スタンド。
【請求項２】
削除
【手続補正２】
【補正対象書類名】明細書
【補正対象項目名】［０００２］
【補正方法】変更
【補正の内容】
【０００２】
上記の目的を達成する為には、シリンダ−錠１の円筒型先端側面を、円柱型カム３と共に円筒の半分迄溝を切った回転式カム錠の溝６が、スタンド固定用鋼板Ｃの外縁にはまったまま、スタンドと一緒に動くようにスタンドへ固定すれば、錠に内蔵されたスプリング５で左回転のモ−メントを付加された回転カム３が、スタンドを立てた位置で、スタンド固定用鋼板Ｃの下端欠ぎ込み２に貫入する様に一体化した構造とすればよい。
【手続補正３】
【補正対象書類名】明細書
【補正対象項目名】［０００３］
【補正方法】変更
【補正の内容】
【０００３】
上記構造を備えたスタンドで駐輪時にスタンドを立てれば、スタンドは自然にスタンド固定用鋼板Ｃにロックされ鍵を抜くだけで施錠は完了する。解錠は回転式カム錠シリンダ−１へ鍵４を差し込み右へ回し、カム３を右方向へ回転させればよい。
【手続補正４】
【補正対象書類名】明細書
【補正対象項目名】図面の簡単な説明
【補正方法】変更
【補正の内容】
【図面の簡単な説明】
〔図１］
スタンドの前方から向かって右側の立面図である。
［図２］
回転式カム錠のカム部分等を、イ方向から見たａ〜ａ断面図である。
［図３］
スタンド固定用鋼板Ｃの下方、回転カム貫入用の欠き込み図、並びに回転カムのθ回転ロック状態図である。
【手続補正５】
【補正対象書類名】明細書
【補正対象項目名】［符号の説明］
【補正方法】追加
【補正の内容】
【符号の説明】
追加
Ｈ  回転式カム錠の中心線の可動位置
ｒ  スタンド支持回転軸から縁までの半径
４  解錠用の鍵
５  カム回転用のスプリング
６  シリンダ−錠先端側面と回転カム３と共に切り込まれた溝
７  錠固定用取り付け金物
【手続補正６】
【補正対象書類名】図面
【補正対象項目名】全図
【補正方法】変更
【補正の内容】
【図１】
0003106942.tif 000007
【図２】
0003106942.tif 000008
【図３】
0003106942.tif 000009
【手続補正書】
【提出日】平成16年9月16日(2004.9.16)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
［書類名］  明細書
［考案の名称］自転車の盗難防止用スタンド
［考案が解決しようとする課題］
［０００１］
従来、自転車等の盗難防止策は、車輪止めを掛けたりサドルをロックしたりとなかなか面倒であった、この考案はこれ等の手数を、ワンタッチに解消しようとするものである。
［課題を解決する為の手段］
［０００２］
上記の目的を達成する為には、シリンダ−錠１の円筒型先端側面を、円柱型カム３と共に円筒の半分迄溝を切った回転式カム錠の溝６が、スタンド固定用鋼板Ｃの外縁にはまったまま、スタンドと一緒に動くようにスタンドへ固定すれば、錠に内蔵されたスプリング５で左回転のモ−メントを付加された回転カム３が、スタンドを立てた位置で、スタンド固定用鋼板Ｃの下端欠ぎ込み２に貫入する様に一体化した構造とすればよい。
［考案の効果］
［０００３］
上記構造を備えたスタンドで駐輪時にスタンドを立てれば、スタンドは自然にスタンド固定用鋼板Ｃにロックされ鍵を抜くだけで施錠は完了する。解錠は回転式カム錠シリンダ−１へ鍵４を差し込み右へ回し、カム３を右方向へ回転させればよい。
［図面の簡単な説明］
［０００４］
［図１］  スタンドの前方から向かって右側の立面図である。
［図２］  回転式カム錠のカム部分等を、イ方向から見たａ〜ａ断面図である。
［図３］  スタンド固定用鋼板Ｃの下方、回転カム貫入用の欠ぎ込み図、並びに回転カムのθ回転ロック状態図である。
［符号の説明］
［０００５］
Ａ  自転車躯体後部
Ｂ  後部車輪車軸ボルト
Ｃ  スタンド固定用鋼板
Ｄ  スタンド丸鋼上部平打ち部
Ｅ  スタンド支持回転軸ボルト
Ｆ  スタンド振れ止め用スリット
Ｇ  スタンド跳ね上げ用スプリング
Ｈ  回転式カム錠の中心線の可動位置
ｒ  スタンド支持回転軸から縁までの半径
１  回転式カム錠シリンダ−
２  回転カム貫入用欠ぎ込み
３  スプリングで左回転のモ−メントを付加した回転カム
４  解錠用の鍵
５  カム回転用のスプリング
６  シリンダ−錠先端側面と回転カム３と共に切り込まれた溝
７  錠固定用取り付け金物


【手続補正２】
【補正対象書類名】手続補正書
【補正対象項目名】手続補正３
【補正方法】削除
【補正の内容】
【手続補正３】
【補正対象書類名】手続補正書
【補正対象項目名】手続補正４
【補正方法】削除
【補正の内容】
【手続補正４】
【補正対象書類名】手続補正書
【補正対象項目名】手続補正５
【補正方法】削除
【補正の内容】